(57)【特許請求の範囲】
【請求項１】
シュレッダー裁断くず回収箱の上部開口部に取り付けられるアタッチメントであって、水平面内でコ字状を成すガイド部と、該ガイド部の開放端部から垂下する一対の支持部とで一体構成され、上記ガイド部は部分的に内側へ湾曲していることを特徴とする、アタッチメント。
【請求項２】
前記ガイド部は部分的に内側に湾曲するとともに、角部が水平面内で外側に向けて凸形状を成すことを特徴とする、請求項１記載のアタッチメント。
【請求項３】
前記ガイド部及び前記支持部が弾性線材からなることを特徴とする、請求項１又は２記載のアタッチメント。
【請求項４】
前記ガイド部は、水平方向に弾性変形可能であることを特徴とする、請求項１〜３の何れかに記載のアタッチメント。
【請求項５】
前記支持部は、開閉方向に弾性変形可能であることを特徴とする、請求項１〜４の何れかに記載の回収箱のアタッチメント。
【発明の詳細な説明】
【技術分野】
【０００１】
本発明は、シュレッダー内の裁断くず回収箱に取り付けられて裁断くずの散乱を防止するアタッチメントに関する。
【背景技術】
【０００２】
シュレッダーで細片状に裁断された紙くず等の裁断くずは、シュレッダー本体に収容されている回収箱に溜められる。裁断された紙くず等で満杯になった回収箱はシュレッダー本体から引き出されて、紙くず等が回収箱から取り出されて破棄される。
このようなタイプのシュレッダーにおいて、回収箱には、予めビニール袋等を装着しておき、裁断された紙くず等の回収を簡易にすることが行われている。しかし、ビニール袋等は回収箱内に収められてしまい、回収箱とシュレッダーの収納空間内壁との間には隙間ができてしまう。たとえ、ビニール袋等の上端を回収箱の上端を覆うように拡げてシュレッダー本体に収容したとしても、この隙間をうまく埋めることはできなかった。この結果、裁断された紙くず等が、回収箱あるいはビニール袋にうまく溜まらず本体と回収箱との隙間にこぼれ落ちてしまうことが起きていた。また、回収箱を本体から引き出すときに、隙間に挟まっていた紙くず等が床面にこぼれ落ちて散らかって、シュレッダー周囲やシュレッダー本体の収納空間を掃除する手間が必要であった。
【０００３】
上記課題を解決するため、裁断した紙くず等がシュレッダー本体内で周囲に散らからないように、シュレッダー本体と回収箱とを一体化したシュレッダーが特許文献１に提案されている。
【特許文献１】特開２００１−１２１０１０号公報
【発明の開示】
【発明が解決しようとする課題】
【０００４】
しかし、このシュレッダーは、シュレッダー本体と回収箱とが一体化されているため、既設のシュレッダーに適用することができず、新たにシュレッダーを購入しなければならない。すなわち、シュレッダーに簡単に適用できるものではなく、簡単な手段を講じて本体と回収箱の間に溜まった裁断紙くず等を散らからないようにするものではなかった。
【０００５】
本発明の目的は、裁断された紙くず等がシュレッダー本体内の回収箱以外の領域に散乱することを防止するシュレッダー回収箱用のアタッチメントを提供することにある。
【課題を解決するための手段】
【０００６】
前記目的を達成するために、本発明者は、回収箱とシュレッダー本体の内壁との間にできる隙間を効率よく塞ぐことができ、かつ回収箱に簡単に装着可能なアタッチメントを着想し、本発明を完成するに至った。
すなわち、本発明のアタッチメントは、水平面内でコ字状を成すガイド部と、ガイド部の開放端部から垂下する一対の支持部とで一体構成され、ガイド部は部分的に内側へ湾曲していることを特徴とする。
【０００７】
本発明のアタッチメントは、シュレッダー回収箱に支持部を差込むことで簡単に、ガイド部をシュレッダー回収箱の上端開口部に着脱自在に装着することができる。
そして、本発明のシュレッダー回収箱のアタッチメントを装着したシュレッダー回収箱にビニール袋等を装着して使用する。このとき、ビニール袋等の開口をガイド部の上面を被うように装着する。アタッチメントのガイド部が水平方向外側に向けて張り出していることから、これを覆っているビニール袋等によりシュレッダー回収箱の上端にフランジが形成される。
フランジが形成されたシュレッダー回収箱をシュレッダー本体の収納空間に収納してセットする。ガイド部が弾性変形可能であることから、回収箱を収納空間に収めたときにフランジが水平方向に収縮して、回収箱収納空間の内壁に密着して隙間を塞ぎ、裁断された紙くず等が収納空間にこぼれ落ちるのを防ぐ。
【発明の効果】
【０００８】
本発明によれば、低コストでかつ簡単な操作でシュレッダー回収箱に簡単に取り付けられるシュレッダー回収箱用のアタッチメントにより、裁断された紙くず等をシュレッダー本体内に散乱しないようにすることが可能となる。
【発明を実施するための最良の形態】
【０００９】
以下、図面に基づいて本発明を詳細に説明する。
（実施形態１）
図１は本発明のアタッチメント１の模式図である。
本実施形態のシュレッダー裁断くず回収箱の上部開口部に取り付けられるアタッチメントは、水平面内でコ字状を成すガイド部と、このガイド部の開放端部から垂下する一対の支持部とで一体構成され、上記ガイド部は部分的に内側へ湾曲して構成されている。  すなわち、本発明のアタッチメント１は、コの字に形成されたガイド部２と、ガイド部２の開放端部から屈曲して垂直方向下方に向けて伸びる支持部３とからなる。ガイド部２は水平方向内側に向けて凸状の内接部４と水平方向外側に向けて凸状の外接部５とが連接している。ガイド部２と支持部３は弾性を有する線材によって一体構成されている。具体的には、ガイド部２は水平方向（矢印Ａ及びＢの方向）に弾性変形可能となっていて、支持部３は開閉方向（矢印Ａ及びＢの方向）に弾性変形可能である。
【００１０】
以下、アタッチメント１の取り付けとフランジ形成について説明する。
図２及び３は、本発明のアタッチメント１をシュレッダー回収箱１０に取り付けた様子を示す模式図である。
まず、図２を参照しながら、本実施形態におけるアタッチメント１の取り付けを説明する。アタッチメント１の支持部３が、シュレッダー回収箱１０の上端開口部から箱体内に挿入されることによって、ガイド部２はシュレッダー回収箱１０の上端開口をコの字に取り囲んで、アタッチメント１がシュレッダー回収箱１０の上端部に着脱自在に取り付けられる。このとき、内接部４は、シュレッダー回収箱１０の外側面に接して、シュレッダー回収箱１０の上端開口部周縁部を挟み込んで取り付けられる。ガイド部２の開放側に対向する内接部４、すなわち支持部３に対向する側に形成された内接部４はシュレッダー回収箱１０の外側面に接していなくとも支障はない。しかし、シュレッダー本体に収納したとき、アタッチメント１が安定して装着されるためにはシュレッダー回収箱１０の外側面に接しているほうが望ましい。また、アタッチメント１を安定してシュレッダー回収箱１０の外側面に取り付けるために内接部４は、内側に向けて形成された凸部の先端を平坦にしておくことが望ましい。一方、外接部５は、シュレッダー回収箱１０の外側に向けて張り出すように保持される。
【００１１】
支持部３は、シュレッダー回収箱１０の内壁面に接してセットされ、屈曲部６を支点としてガイド部２を略水平に支える。アタッチメント１の取り付けを強化するために、支持部３は開閉方向、図中、矢印Ａ及びＢの方向に向けて弾性変形となっている。また、支持部３を下端部７に向けて拡開するようテーパー状に形成してもよい。これにより、支持部３はシュレッダー回収箱１０の内壁に向けて付勢されるのでアタッチメント１がシュレッダー回収箱１０に確実に保持される。なお、図では屈曲部６がシュレッダー回収箱１０の角の上面に接して支点としているが、シュレッダーに収納されていない状態ではシュレッダー回収箱１０の角部頂点を支点とする必要はない。むしろシュレッダー回収箱１０の左右側面の角手前の辺上面を支点としてもよい。
外接部５は、シュレッダーの収納部の内壁面に接してビニール袋とともにフランジ（図２では示さず）を形成する。
【００１２】
アタッチメント１をシュレッダー回収箱１０に装着した後、ビニール袋１５を回収箱内に装着する（図３参照）。
ビニール袋１５は、裁断された紙くず等を溜めておくためのものである。ビニール袋１５の上端開口は、シュレッダー回収箱１０の上端に着脱可能にして取り付けられたアタッチメント１を覆うように装着される。アタッチメント１の外接部５が水平方向外側に向けて張り出しているため、これに袋等を被せることによりシュレッダー回収箱１０の上端に、水平方向に拡がったフランジ１６が形成される（図３参照）。外接部５はビニール袋１５によって覆われて、シュレッダー回収箱１０の側面に沿ってフランジ１６を形成するので、シュレッダーの収納部の内壁と接する部分を多くするため外側に向けて形成された凸形状の先端を平坦にしておくことが望ましい。
【００１３】
アタッチメント１とビニール袋１５等によって上端開口縁部にフランジ１６が形成されたシュレッダー回収箱１０をシュレッダーの収納空間に収納する。ガイド部２が弾性変形可能であることから、回収箱の上端開口縁部外周に溜まった紙くず等をビニール袋１５等に収めて回収箱１０を取り出せばよい。
図４に示したようにシュレッダー回収箱１０はシュレッダー本体２０の収納空間内に収納され、裁断された紙くず等が落下してこれに溜められる。
シュレッダー回収箱１０をシュレッダー本体２０の収納空間から取り出す際は、収縮していたガイド部２が水平方向に伸展することになるので、フランジ１６上に堆積していた裁断紙くず等がこぼれ落ちることなく回収することが可能となる。
【００１４】
（実施形態２）
図５に別の実施形態であるアタッチメント１Ａを示す。
このアタッチメント１Ａは、実施形態１と同様に、シュレッダー裁断くず回収箱の上部開口部に取り付けられるようになっていて、水平面内でコ字状を成すガイド部と、このガイド部の開放端部から垂下する一対の支持部とで一体構成され、上記ガイド部は部分的に内側へ湾曲するとともに、角部が水平面内で外側に向けて凸形状を成している。
すなわち、アタッチメント１Ａは、コの字に形成されたガイド部２と、ガイド部２の開放端部から屈曲して垂直方向下方に向けて伸びる支持部３とからなり、ガイド部２は水平方向内側に湾曲する内接部４と水平方向外側へ張り出す外接部５とを形成している。言い換えれば、ガイド部２は水平方向内側に向けて凸状の内接部４と水平方向外側に向けて凸状の外接部５とが連接している。そして、さらに角部８が水平方向外側に向けて凸状の外接部５となっている。さらにガイド部２と支持部３は弾性を有する線材によって一体構成されている。
実施形態１との差異は、シュレッダー回収箱１０の頂点部１１に対向する位置、すなわち角部８で外側に向けて凸状の外接部５を有している点である。このように構成することで、角部８においてフランジ１６の形成をより確実に行うことができる。
【００１５】
シュレッダー回収箱１０への取り付け、ビニール袋１５等の装着及びシュレッダー本体２０の収納空間への格納は、実施形態１で述べたと同様に行えばよい。
【図面の簡単な説明】
【００１６】
【図１】シュレッダー回収箱のアタッチメントの一形態を示す概略図である。
【図２】シュレッダー回収箱のアタッチメントがシュレッダー回収箱に取り付けられた状態を表わす図である。
【図３】シュレッダー回収箱のアタッチメントがシュレッダー回収箱に取り付けられた状態を表わす図である。
【図４】シュレッダー回収箱のアタッチメントを取り付けたシュレッダー回収箱がシュレッダーに格納された状態を表わす図である。
【図５】シュレッダー回収箱のアタッチメントの一形態を示す概略図である。
【符号の説明】
【００１７】
１      アタッチメント
１Ａ    アタッチメント
２      ガイド部
３      支持部
４      内接部
５      外接部
６      屈曲部
７      下端部
８      角部
１０    シュレッダー回収箱
１１    頂点部
１５    ビニール袋
１６    フランジ
２０    シュレッダー本体
【図１】
0004798392.tif 000002
【図２】
0004798392.tif 000003
【図３】
0004798392.tif 000004
【図４】
0004798392.tif 000005
【図５】
0004798392.tif 000006